【事件の表示】
　特願２０１０−５１２０６７「映像復旧を利用したイントラ予測符号化、復号化方法及び装置」拒絶査定不服審判事件〔平成２０年１２月１８日国際公開、ＷＯ２００８／１５３３００、平成２２年　８月２６日国内公表、特表２０１０−５２９８０２〕について、次のとおり審決する。
【結　論】
　本件審判の請求は、成り立たない。
【理　由】
第１　経緯
　本願は、２００８年（平成２０年）６月１１日（パリ条約による優先権主張外国庁受理２００７年６月１４日、韓国）を国際出願日とする出願である。
　本件は、本願についてされた拒絶査定（平成２５年６月４日付け）を不服とする平成２５年１０月１１日に請求された拒絶査定不服審判であって、同時に手続補正がなされ、前置審査において、平成２５年１１月６日付けで最後の拒絶理由が通知され、期間を指定して意見書を提出する機会を与えたが、請求人からは何らの応答もなく、前置報告がなされたものである。
　　
第２　平成２５年１１月６日付け拒絶理由の概要
１　この出願は、特許請求の範囲の記載が下記の点で、特許法第３６条第６項第２号に規定する要件を満たしていない。
　　
　　　　　　　　　　　　　　　　　記
平成２５年１０月１１日付け手続補正された請求項（以下請求項）１，６，８，１３，１５，１６（及びこれらを引用する請求項２−５，７，９−１２，１４）について：
本願明細書段落００２７を根拠として
「 最も高い復旧優先順位を持つピクセルは、前記復旧される領域の境界と前記復旧される領域の境界に隣接したそれぞれのピクセルにおけるエッジ方向間の角度が最大のピクセルである」
という事項が追加されたが、「復旧される領域の境界と復旧される領域の境界に隣接したそれぞれのピクセルにおけるエッジ方向間の角度」とはどのような角度なのか、請求項及び段落００２７の記載だけでは不明であり、更に図５を見ても、この「復旧される領域の境界と復旧される領域の境界に隣接したそれぞれのピクセルにおけるエッジ方向間の角度」がどの角度にあたるのか、不明であって発明を特定できない。
　　
２　この出願は、発明の詳細な説明の記載が下記の点で、特許法第３６条第４項第１号に規定する要件を満たしていない。
　　
　　　　　　　　　　　　　　　　　記
（上記理由１とも関連するが）平成２５年１０月１１日付け手続補正された請求項（以下請求項）１，６，８，１３，１５，１６（及びこれらを引用する請求項２−５，７，９−１２，１４）について：
「復旧される領域の境界と復旧される領域の境界に隣接したそれぞれのピクセルにおけるエッジ方向間の角度」とはどのような角度なのか、請求項及び段落００２７の記載だけでは不明であり、更に図５を見ても、この「復旧される領域の境界と復旧される領域の境界に隣接したそれぞれのピクセルにおけるエッジ方向間の角度」がどの角度にあたるのか、不明であって、当業者が実施可能に開示したものとは言えない。
　　
第３　当審の判断
１　本願の特許請求の範囲の記載
　本願の特許請求の範囲の記載は次のとおりである。
　　
「　【請求項１】
　イントラ予測符号化方法において、
　現在ブロックと現在ピクチャーの以前に符号化された領域との境界に隣接した、前記以前に符号化された領域に含まれているピクセルのうちの最も高い復旧優先順位を持つピクセルを含む領域に類似した領域を前記以前に符号化された領域において探すことにより、前記現在ブロックの予測ブロックを生成する映像復旧を行うステップと、
　前記映像復旧されたピクセルの値を前記現在ブロックに対する予測ブロックの予測値として設定するステップと、
　前記予測ブロックを前記現在ブロックから減算して、前記現在ブロックに対する残差ブロックを生成するステップと、
　前記生成された残差ブロックを符号化するステップと、を含み、
　前記最も高い復旧優先順位を持つピクセルは、前記復旧される領域の境界と前記復旧される領域の境界に隣接したそれぞれのピクセルにおけるエッジ方向間の角度が最大のピクセルである、
　ことを特徴とするイントラ予測符号化方法。
　　【請求項２】
　前記映像復旧を行うステップは、
　前記現在ブロックと現在ピクチャーの以前に符号化された領域との境界に隣接した、以前に符号化された領域に含まれたピクセルを利用して前記以前に符号化された領域で前記現在ブロックと類似したブロックを検出して、前記現在ブロックの予測ブロックを生成する標本基盤映像復旧を行うステップと、
　前記標本基盤映像復旧を行った結果に基づいて、前記現在ブロックに対する予測ブロックの予測値を設定するステップと、
　を含むことを特徴とする請求項１に記載のイントラ予測符号化方法。
　　【請求項３】
　前記標本基盤映像復旧を行うステップは、
　ａ）前記現在ブロックと現在ピクチャーの以前に符号化された領域との境界を、復旧される領域の境界に設定するステップと、
　ｂ）前記復旧される領域の境界に隣接したピクセルのうち、最も高い復旧優先順位を持つピクセルを選択するステップと、
　ｃ）前記特定のピクセルを含む領域である前記選択されたピクセルを備えるパッチと類似したパッチを、前記現在ピクチャーの以前に符号化された領域で検索して検索結果を生成するステップと、
　ｄ）前記検索結果に基づいて、マクロブロックの符号化されていない領域を復旧するステップと、
　ｅ）前記ｄ）ステップでの復旧結果に基づいて、復旧される領域の境界を更新するステップと、
　ｆ）前記現在ブロックが復旧されるまで、前記ｂ）ないしｅ）ステップを反復するステップと、
　を含むことを特徴とする請求項２に記載のイントラ予測符号化方法。
　　【請求項４】
　前記パッチは、３×３または５×５サイズのパッチである、
　ことを特徴とする請求項３に記載のイントラ予測符号化方法。
　　【請求項５】
　前記検索するステップは、
　前記選択されたピクセルを備えるパッチと類似したパッチを、前記現在ブロックが含まれているマクロブロックの境界から３２ピクセル範囲にある、以前に符号化された領域で検索するステップを含む、
　ことを特徴とする請求項３に記載のイントラ予測符号化方法。
　　【請求項６】
　イントラ予測符号化装置において、
　現在ブロックと現在ピクチャーの以前に符号化された領域との境界に隣接した、前記以前に符号化された領域に含まれているピクセルのうちの最も高い復旧優先順位を持つピクセルを含む領域に類似した領域を前記以前に符号化された領域において探すことにより、前記現在ブロックの予測ブロックを生成する映像復旧を行い、前記映像復旧されたピクセルの値を前記現在ブロックに対する予測ブロックの予測値として設定するイントラ予測部と、
　前記予測ブロックを前記現在ブロックから減算して、前記現在ブロックに対する残差ブロックを生成する減算部と、
　前記生成された残差ブロックを符号化する符号化部と、を備え、
　前記最も高い復旧優先順位を持つピクセルは、前記復旧される領域の境界と前記復旧される領域の境界に隣接したそれぞれのピクセルにおけるエッジ方向間の角度が最大のピクセルである、
　ことを特徴とするイントラ予測符号化装置。
　　【請求項７】
　前記イントラ予測部は、
　前記現在ブロックと現在ピクチャーの以前に符号化された領域との境界に隣接した、以前に符号化された領域に含まれたピクセルを利用して、前記以前に符号化された領域で前記現在ブロックと類似したブロックを検出して、前記現在ブロックの予測ブロックを生成する標本基盤映像復旧を行う映像復旧部と、
　前記標本基盤映像復旧を行った結果に基づいて、前記現在ブロックに対する予測ブロックの予測値を設定する予測部と、
　を備えることを特徴とする請求項６に記載のイントラ予測符号化装置。
　　【請求項８】
　イントラ予測復号化方法において、
　現在ブロックに対する残差ブロックを復号化するステップと、
　前記現在ブロックと現在ピクチャーの以前に復号化された領域との境界に隣接した、前記以前に復号化された領域に含まれているピクセルのうちの最も高い復旧優先順位を持つピクセルを含む領域に類似した領域を前記以前に符号化された領域において探すことにより、前記現在ブロックの予測ブロックを生成する映像復旧を行うステップと、
　前記映像復旧されたピクセルの値を前記現在ブロックに対する予測ブロックの予測値として設定するステップと、
　前記予測結果生成された予測ブロックを前記残差ブロックに加算して、前記現在ブロックを復元するステップと、を含み、
　前記最も高い復旧優先順位を持つピクセルは、前記復旧される領域の境界と前記復旧される領域の境界に隣接したそれぞれのピクセルにおけるエッジ方向間の角度が最大のピクセルである、
　を含むことを特徴とするイントラ予測復号化方法。
　　【請求項９】
　前記映像復旧を行うステップは、
　前記現在ブロックと現在ピクチャーの以前に復号化された領域との境界に隣接した、以前に復号化された領域に含まれたピクセルを利用して、前記以前に符号化された領域で前記現在ブロックと類似したブロックを検出して、前記現在ブロックの予測ブロックを生成する標本基盤映像復旧を行うステップと、
　前記標本基盤映像復旧を行った結果に基づいて、前記現在ブロックに対する予測ブロックの予測値を設定するステップと、
　を含むことを特徴とする請求項８に記載のイントラ予測復号化方法。
　　【請求項１０】
　前記標本基盤映像復旧を行うステップは、
　ａ）前記現在ブロックと現在ピクチャーの以前に復号化された領域との境界を、復旧される領域の境界に設定するステップと、
　ｂ）前記復旧される領域の境界に隣接したピクセルのうち、最も高い復旧優先順位を持つピクセルを選択するステップと、
　ｃ）前記特定のピクセルを含む領域である前記選択されたピクセルを備えるパッチと類似した前記領域であるパッチを、前記現在ピクチャーの以前に復号化された領域で検索して検索結果を生成するステップと、
　ｄ）前記検索結果に基づいてマクロブロックの復号化されていない領域を復旧するステップと、
　ｅ）前記ｄ）ステップでの復旧結果に基づいて、復旧される領域の境界を更新するステップと、
　ｆ）前記現在ブロックが復旧されるまで、前記ｂ）ないしｅ）ステップを繰り返すステップと、
　を含むことを特徴とする請求項９に記載のイントラ予測復号化方法。
　　【請求項１１】
　前記パッチは、３×３または５×５サイズのパッチである、
　ことを特徴とする請求項１０に記載のイントラ予測復号化方法。
　　【請求項１２】
　前記検索するステップは、
　前記選択されたピクセルを備えるパッチと類似したパッチを、前記現在ブロックが含まれているマクロブロックの境界から３２ピクセル範囲にある、以前に復号化された領域で検索するステップを含む、
　ことを特徴とする請求項１０に記載のイントラ予測復号化方法。
　　【請求項１３】
　イントラ予測復号化装置において、
　現在ブロックに対する残差ブロックを復号化する復号化部と、
　前記現在ブロックと現在ピクチャーの以前に復号化された領域との境界に隣接した、前記以前に復号化された領域に含まれているピクセルのうちの最も高い復旧優先順位を持つピクセルを含む領域に類似した領域を前記以前に符号化された領域において探すことにより、前記現在ブロックの予測ブロックを生成する映像復旧を行い、前記映像復旧されたピクセルの値を前記現在ブロックに対する予測ブロックの予測値として設定するイントラ予測部と、
　前記予測ブロックを前記残差ブロックに加算して、前記現在ブロックを復元する加算部と、を備え、
　前記最も高い復旧優先順位を持つピクセルは、前記復旧される領域の境界と前記復旧される領域の境界に隣接したそれぞれのピクセルにおけるエッジ方向間の角度が最大のピクセルである、
　ことを特徴とするイントラ予測復号化装置。
　　【請求項１４】
　前記イントラ予測部は、
　前記現在ブロックが含まれているマクロブロックの境界及び、前記マクロブロックに含まれている以前に復号化されたブロックの境界のうち、少なくとも一つに隣接した以前に復号化された領域に含まれているピクセルを利用して、前記以前に復号化された領域で前記現在ブロックと類似したブロックを検出して、前記現在ブロックの予測ブロックを生成する標本基盤映像復旧を行う映像復旧部と、
　前記標本基盤映像復旧を行った結果に基づいて、前記現在ブロックに対する予測ブロックの予測値を設定する予測部と、
　を備えることを特徴とする請求項１３に記載のイントラ予測復号化装置。
　　【請求項１５】
　現在ブロックと現在ピクチャーの以前に符号化された領域との境界に隣接した、前記以前に符号化された領域に含まれているピクセルのうちの最も高い復旧優先順位を持つピクセルを含む領域に類似した領域を前記以前に符号化された領域において探すことにより、前記現在ブロックの予測ブロックを生成する映像復旧を行うステップと、
　前記映像復旧されたピクセルの値を前記現在ブロックに対する予測ブロックの予測値として設定するステップと、
　前記予測ブロックを前記現在ブロックから減算して、前記現在ブロックに対する残差ブロックを生成するステップと、
　前記生成された残差ブロックを符号化するステップと、を含み、
　前記最も高い復旧優先順位を持つピクセルは、前記復旧される領域の境界と前記復旧される領域の境界に隣接したそれぞれのピクセルにおけるエッジ方向間の角度が最大のピクセルである、
　イントラ予測符号化方法を行わせるためのプログラムを記録したコンピュータで読み取り可能な記録媒体。
　　【請求項１６】
　現在ブロックに対する残差ブロックを復号化するステップと、
　前記現在ブロックと現在ピクチャーの以前に復号化された領域との境界に隣接した、前記以前に復号化された領域に含まれているピクセルのうちの特定のピクセルを含む領域に類似した領域を前記以前に符号化された領域において探すことにより、前記現在ブロックの予測ブロックを生成する映像復旧を行うステップと、
　前記映像復旧されたピクセルの値を前記現在ブロックに対する予測ブロックの予測値として設定するステップと、
　前記予測結果生成された予測ブロックを前記残差ブロックに加算して、前記現在ブロックを復元するステップと、を含み、
　前記最も高い復旧優先順位を持つピクセルは、前記復旧される領域の境界と前記復旧される領域の境界に隣接したそれぞれのピクセルにおけるエッジ方向間の角度が最大のピクセルである、
　イントラ予測復号化方法を行わせるためのプログラムを記録したコンピュータで読み取り可能な記録媒体。」
　　
２　判断
　請求項１、６、８、１３、１５、１６における「前記復旧される領域の境界と前記復旧される領域の境界に隣接したそれぞれのピクセルにおけるエッジ方向間の角度」がどのような角度なのか、当該記載からは、明確でない。
　　
　そこで、発明の詳細な説明を参酌して、上記記載の意味を検討する。
　　
　段落【００２５】〜【００３３】には、次の記載がある。
「【００２５】
　図５Ａないし図５Ｅは、本発明の一実施形態による映像復旧方法を時間的順序によって図示する。
　【００２６】
　図５Ａを参照するに、現在ブロック４４０を予測するために、現在ブロック４４０と以前に符号化された領域４１０との境界に隣接したピクセルのうち、以前に符号化された領域に含まれたピクセル４５０に基づいて標本基盤映像復旧を行う。
　【００２７】
　まず、マクロブロック４３０の境界に隣接したピクセル４５０のうち、最も高い復旧優先順位を持つピクセル５１０を選択する。復旧優先順位の高いピクセルを決定する方法には制限がないが、望ましくは、復旧される領域の境界とそれぞれのピクセルでのエッジ方向間の角度に基づいて、復旧優先順位を計算できる。復旧される領域の境界とエッジ方向が大きいほど、復旧優先順位の高いピクセル５１０に選択される。
　【００２８】
　復旧優先順位の高いピクセル５１０が選択されれば、図５Ｂに示したように選択されたピクセル５１０及び、選択されたピクセルの周辺に隣接したピクセルを備えるパッチ５２０を設定する。ここで、パッチ５２０は、映像復旧を行う単位であって、３×３または５×５のように多様なサイズのパッチを利用して映像復旧を行うことができる。以下では、３×３サイズのパッチを利用する場合を例として説明する。
　【００２９】
　復旧優先順位の高いピクセル５１０を中心にパッチ５２０を設定した後には、パッチ５２０に含まれたピクセルのうち、以前に符号化された領域に含まれたピクセル５２２を利用して、現在ピクチャーの以前に符号化された領域４１０からパッチ５２０と最も類似したパッチを検索する。例えば、以前に符号化された領域に含まれたピクセル５２２とのＳＡＤ（ｓｕｍ　ｏｆ　ａｂｓｏｌｕｔｅ　ｄｉｆｆｅｒｅｎｃｅ）が最も小さなパッチとを検索する方法で、最も類似したパッチを検索できる。
　【００３０】
　類似したパッチが検索されれば、類似したパッチの一部をパッチ５２０にコピーすることによって復旧が行われる。図５Ｂの場合には、類似したパッチに含まれたピクセル値のうち、最右側列に含まれたピクセル値が、パッチ５２０のまだ符号化されていない領域に含まれたピクセル５２４のピクセル値になる。
　【００３１】
　最初の復旧が終われば、復旧される領域の境界は、図５Ｃに示したように、復旧されたピクセルに基づいて更新される。更新された境界で最も高い復旧優先順位を持つピクセル５３０が再び選択される。
　【００３２】
　次いで、図５Ｄに示したように、選択されたピクセル５３０を中心に再びパッチ５４０が設定される。パッチ５４０に含まれたピクセルのうち、以前に符号化された領域に含まれたピクセル５４２及び、以前に復旧された領域に含まれたピクセル５４４を利用して、再び以前に符号化された領域４１０からパッチ５４０と最も類似したパッチを検索する。検索結果によって、パッチ５４０の残りの領域に含まれているピクセル５４６のピクセル値が復旧される。
　【００３３】
　２番目の復旧結果によって、図５Ｅに示したように、復旧される領域の境界が再び更新される。映像復旧は、現在ブロック４４０に含まれたピクセルがいずれも復旧されるまで反復される。」
　　
　「復旧される領域の境界とそれぞれのピクセルでのエッジ方向間の角度」は、発明の詳細な説明の段落【００２７】に記載されているだけで、段落【００２５】〜【００３３】の記載をみても、「前記復旧される領域の境界と前記復旧される領域の境界に隣接したそれぞれのピクセルにおけるエッジ方向間の角度」が、どのような角度であるのか理解できない。また、段落【００２５】〜【００３３】の記載で参照されている図５Ａないし図５Ｅをみても、「前記復旧される領域の境界と前記復旧される領域の境界に隣接したそれぞれのピクセルにおけるエッジ方向間の角度」が、どのような角度であるのか理解できない。段落【００２５】〜【００３３】以外の発明の詳細な説明及び図５Ａないし図５Ｅ以外の図面をみても、「前記復旧される領域の境界と前記復旧される領域の境界に隣接したそれぞれのピクセルにおけるエッジ方向間の角度」が、どのような角度であるのか理解できない。
　　
　したがって、「前記復旧される領域の境界と前記復旧される領域の境界に隣接したそれぞれのピクセルにおけるエッジ方向間の角度」が、どのような角度であるのか、明確でないから、請求項１、６、８、１３、１５、１６に係る発明が明確でない。
　　
　請求項２〜５に係る発明は、請求項１を直接又は間接的に引用しているので、請求項１に係る発明と同じ理由で明確でない。
　請求項７に係る発明は、請求項６を引用しているので、請求項６に係る発明と同じ理由で明確でない。
　請求項９〜１２に係る発明は、請求項８を直接又は間接的に引用しているので、請求項８に係る発明と同じ理由で明確でない。
　請求項１４に係る発明は、請求項１３を引用しているので、請求項１３に係る発明と同じ理由で明確でない。 
　　
　また、上記のとおり、発明の詳細な説明は、請求項１〜１６における「前記復旧される領域の境界と前記復旧される領域の境界に隣接したそれぞれのピクセルにおけるエッジ方向間の角度」がどのような角度であるか、理解できるように記載されていないから、発明の詳細な説明は、請求項１〜１６に係る発明を実施できる程度に明確かつ十分に記載したものとは認められない。
　　
第３　むすび
　したがって、本願は、特許法第３６条第６項第２号及び同法第３６条第４項第１号に規定する要件を満たしてない。
　よって、結論のとおり審決する。